(57)【要約】【課題】  高く舞い上がる飛球の発生を低減させることにより、施設の管理負担や設備負担を軽減することができ、しかも、ライナー性の打球に対しては長い飛距離を確保することができる球技用バットを提供する。【解決手段】  弾性毛が多数形成されてなる植毛部１１ｃを有する反発部材１０を備え、軸芯に配されたパイプ材からなる芯材２の打球部Ｃ上に、植毛部１１ｃを外側にして反発部材１０が並列配置され、反発部材１０の植毛部１１ｃ上が可撓性を有する円筒部材１３により被覆されてなる。【選択図】  図２
2008119378.tif 000002
【特許請求の範囲】
【請求項１】
軸芯に配されたパイプ材からなる芯材と、弾性毛が多数形成されてなる植毛部を有する反発部材とを備え、芯材の前記打球部上に、植毛部を外側に向けて反発部材が並列配置され、反発部材の植毛部が可撓性を有する円筒部材により被覆されてなることを特徴とする球技用バット。
【請求項２】
反発部材は、基材にパイル糸が多数植毛されてなる植毛部を有する人工芝シートを芯材上に巻装したものである請求項１に記載の球技用バット。
【請求項３】
芯材は、竹管である請求項１又は２に記載の球技用バット。
【発明の詳細な説明】
【技術分野】
【０００１】
本発明は、野球やソフトボールなどの球技に使用する球技用バットに関するものである。
【背景技術】
【０００２】
球技用バットとしては、金属バットや木製バットが周知である。金属バットは耐久性やボールに飛距離が出る点、木製バットは金属バットよりは軽量で打球時の手ごたえが良い点で野球用として広く普及している。
【０００３】
他方、近年になって子供や女子、高齢者など多くの人がもっと気軽に楽しめるように、本発明者等によって発泡ウレタンボール等の超軟質ボールを用いてルールも新規に定めた超軟式ベースボール「エコロベース」が開発され、既にその球技に適した球技用バットとして、合竹材からなる芯棒を全長にわたって配し、打球部とシャフト部の外面を合成ゴム等の外装筒で構成し、その外装筒内面と前記芯棒外面との間にクッション材料からなる中間材を配し、グリップ部を芯棒で構成したもの（特許文献１参照）や、全長にわたる芯材の前記打球部上に、中空弾性材料で形成された反発部材を巻回し、反発部材上が円筒部材で被覆されたもの（特許文献２参照）を提案している。これらの球技用バットは、軽量化が可能で安全性を確保できると共に、超軟質ボールを打球するのに最適な重量や飛距離に調整可能になる。
【特許文献１】特開２００１−５８０１７号公報
【特許文献２】特開２００５−２８０４３号公報
【発明の開示】
【発明が解決しようとする課題】
【０００４】
このように「エコロベース」の球技に適した球技用バットは、種々の利点を有するものであるが、体育館などの室内で使用する場合には更なる改良が望まれるところである。
【０００５】
すなわち、体育館等のスポーツ施設の室内での球技では、ボールが天井に当たって天井を損傷し、ボールが天井に引っ掛かって天井にそのまま止まるなどの弊害があり、天井の修復やボールの除去のために施設管理費が高くなるという問題がある。特に球技用バットを使った球技では、チップ性の当たりが空中高く舞い上がってこのようなことが頻繁に起こり得るので、特に問題になる。この対策として天井付近にネットを張ることが考えられるが、施設設備費が高くなるという問題がある。
【０００６】
本発明が目的とするところは、チップ性の当たりでもボールが高く舞い上がりにくいことにより、施設の前記のような管理負担や設備負担を軽減することができ、しかも、ライナー性の打球に対しては長い飛距離を確保することができて野球の醍醐味も楽しむことができる軽量かつ低コストの球技用バットを提供することにある。
【課題を解決するための手段】
【０００７】
上記目的を達成するための本発明の球技用バットは、軸芯に配されたパイプ材からなる芯材と、弾性毛が多数形成されてなる植毛部を有する反発部材とを備え、芯材の前記打球部上に、植毛部を外側に向けて反発部材が並列配置され、反発部材の植毛部が可撓性を有する円筒部材により被覆されてなることを特徴とする。
【０００８】
上記構成によれば、本発明の球技用バットでは、打球時にボールが打球部の上端を掠めるようにして当たるチップ性の当たりのときに、反発部材の弾性毛が倒れてボールを後方に逃がすことにより、高く舞い上がる飛球になるのを回避することができる。
【０００９】
しかも、ライナー性の打球が得られる場合には、弾性毛の弾性復元力とパイプ材（芯材）の弾性復元力とによりボールが打ち出されるので、大きな反発特性が得られる。
【００１０】
上記構成において、反発部材は、基材にパイル糸が多数植毛されてなる植毛部を有する人工芝シートを芯材上に巻装したものにすると好適であり、製造コストの低減化が図れる。
【００１１】
また、上記構成において、芯材は竹管で構成することにより、軽量化や製造コストの低減化が図れる。
【発明の効果】
【００１２】
本発明によれば、弾性毛が多数形成されてなる植毛部を有する反発部材を備え、全長にわたる軸芯に配された芯材の前記打球部上に、植毛部を外側にして反発部材が並列配置されているので、チップ性の当たりの場合にも飛球が高く舞い上がることを防ぐことができる球技用バットに構成することができる。
【発明を実施するための最良の形態】
【００１３】
図１、図２及び図３において、実施形態に係る球技用バット１は、小径円柱状のグリップ部Ａから外面がテーパー形状のテーパー部Ｂ、大径円柱状の打球部Ｃを経て先端部Ｄに至るバット形状に形成されている。中心軸上にバットの全長にわたる長さのパイプ材からなる芯材２は、竹管により形成されたもので、芯材２には全長にわたって弾力性や耐久性に優れたコルクシート３が巻回されると共に接着剤で芯材２に固定されている。
【００１４】
図２及び図３に示すように、グリップ部Ａ側の端部にはオレフィン系エラストマーを成形した端面板４１を有する端末キャップ４が取り付けられる。端末キャップ４の取り付けは、芯材２、コルクシート３及び端末キャップ４にねじ穴２ａ，３ａ，４ａ（ねじ穴４ａは沈み穴ぐり）をそれぞれ設け、合致したねじ穴２ａ，３ａ，４ａにねじ５を通してナット６で締め付けることにより行われる。端末キャップ４の外側は端末コルクシート７で巻回されると共に端末コルクシート７は端末キャップ４に接着剤により固定され、端末キャップ４および端末コルクシート７は、ニット等の伸縮性に富む弾性材からなる袋状の端末カバー８より被覆されると共に、端末カバー８の開口部８ａの周囲部は芯材２に巻きテープ９により結束されて固定されている。
【００１５】
打球部Ｃに位置する芯材２上には反発部材１０が並列配置され、反発部材１０は人工芝シート１１を芯材２上に巻装して構成されている。図３のように人工芝シート１１は、ポリプロピレンなどの樹脂製基布１１ａにポリエチレンなどの樹脂製パイル糸１１ｂをタフトして植毛部１１ｃを形成し、基布１１ａの裏面をパイル糸の抜け止めのためにウレタン樹脂などでコーティングすることにより構成されている。人工芝シート１１のパイル糸１１ｂの高さは、本発明の効果が得られれば特に限定されるものではないが好ましくは約７〜９ｍｍであり、更に好ましくは約８．５ｍｍである。
【００１６】
本実施形態では２枚の人工芝シート１１，１１を用い、これらを重ねた状態でそれぞれの植毛部１１ｃを外側にして芯材２に巻回することにより所要直径の打球部Ｃが形成される。巻回された人工芝シート１１は締結ゴムバンド１２により芯材２に固定されている。なお、外側に位置する人工芝シート１１は、内側の人工芝シート１１よりも面積が小さくなるように設定されている。
【００１７】
直径が異なるグリップ部Ａと打球部Ｃとの間にあるテーパー部Ｂの芯材２上には、合成樹脂製シートなどの可撓性を有する弾性材からなる円筒部材１３が装着される。
【００１８】
円筒部材１３の端末側にはテーパー筒部１３ａが形成され、円筒部材１３の先端とテーパー筒部１３ａの端末には紐通し孔１３ｂが形成され、紐通し孔１３ｂには結束紐１３ｃが通され、結束紐１３ｃの両端は紐通し孔１３ｂから導出されている。そして結束紐１３ｃにより円筒部材１３の先端及びテーパー筒部１３ａの端末の開口部１３ｄ，１３ｅを絞って結束紐１３ｃの両端を結束することにより円筒部材１３は芯材２上で回転しない状態に取り付けられる。円筒部材１３のテーパー筒部１３ａは、合成樹脂製シートなどの可撓性を有する弾性材からなるテーパー形状の外装筒１４により被覆される。芯材２の先端部Ｄ位置にはスポンジ製の先端キャップ１５が接着剤により取り付けられる。
【００１９】
次に、この球技用バット１の製作手順について説明する。コルクシート３を芯材２に巻回して接着剤により固定し、二枚の人工芝シート１１，１１をコルクシート３上に巻回して締結ゴムバンド１２により固定し、芯材２の先端に先端キャップ１５を固定する。次に円筒部材１３を芯材２にその端末側から通してテーパー部Ｂと人工芝１１，１１と先端キャップ１５の周囲部とを被覆し、結束紐１３ｃにより固定する。外装筒１４を芯材２にその端末側から通して円筒部材１３のテーパー筒部１３ａ及びテーパー筒部１３ｂに近接するグリップ部Ａを被覆する。次に端末キャップ４を芯材２の端末に取り付けて、上述の要領でねじ５とナット６により芯材２に固定し、また、グリップ部Ａ上に合成樹脂製の被覆巻きテープ１６を螺旋状に巻回する。外装筒１３の端末は結束用巻きテープ９で固定されることにより、外装筒１４は芯材２上で回転しないようにして取り付けられ、また、端末カバー８の開口部８ａの周囲部は結束用巻きテープ９で固定されることにより端末カバー８は芯材２上で回転しない状態に取り付けられ、球技用バット１を完成させる。なお、製作手順は適宜変更可能である。
【００２０】
本実施形態の球技用バット１は、このようにして完成するので、高齢者や子供などであっても簡単に製作でき、手作りキットとして好適になる。また、児童の体力向上のためのスポーツプログラムを、面白く簡単に取り組めるものにすることができ、児童の体力向上を効果的に推し進めることができる。更に、球技用バット１の構造は安全性が高く、それに手作りできる喜びが加わることにより、一石二鳥の効果を生むことが期待できる。更に、竹管や人工芝シートなどを用いることにより、製作コストを抑えることができる。
【００２１】
上記構成において、人工芝シート１１は二枚にして巻回されているが、所要直径の打球部Ｃに形成されるのであれば枚数は限定されるものではない。また、パイプ材からなる芯材２としては竹管を用いているが、塩化ビニル管や補強材で補強された紙管などを用いることもできる。なお、接着剤に代えて両面接着テープを用いることもできる。
【図面の簡単な説明】
【００２２】
【図１】実施形態に係る球技用バットの構成を示す斜視図である。
【図２】実施形態に係る球技用バットの構成を示す縦断面図である。
【図３】図２の部分拡大図である。
【符号の説明】
【００２３】
１        球技用バット
２        芯材
１０      反発部材
１１      人工芝シート
１１ａ    基材
１１ｂ    パイル糸（弾性毛）
１１ｃ    植毛部
【図１】
2008119378.tif 000003
【図２】
2008119378.tif 000004
【図３】
2008119378.tif 000005